(57)【要約】【課題】不適合の給水流量を生じさせる貯水タンクが便器本体に取付けられた場合であっても便器洗浄のための適切な給水流量の洗浄水をボウル部へ供給することができる水洗大便器を提供する。【解決手段】本発明の水洗大便器１は、導水路２４は、貯水タンクの排水口と接続し下方へと延びる下向導水路２４ａと、この下向導水路２４ａと繋がる屈曲導水路２４ｂと、この屈曲導水路２４ｂと繋がり横方向へ延びリム吐水部２６，２８と連通する横向導水路２４ｃとから構成され、横向導水路２４ｃには、リム吐水部２６，２８の出口の合計断面積よりも小さい通水断面積を有する縮径部２４ｅが形成されている。【選択図】図２
2020159188.tif 000002
【特許請求の範囲】
【請求項１】
便器を洗浄して汚物を排出する水洗大便器であって、
便器本体の後方上面に設置され、排水口を開閉することにより上記便器本体へ洗浄水を供給する貯水タンクと、
ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、上記リム部の内周面に洗浄水を吐水して旋回流を形成するリム吐水部と、上記貯水タンクに貯水された洗浄水を上記リム吐水部へ導くリム導水路と、を備えた便器本体と、を有し、
上記導水路は、上記貯水タンクの排水口と接続し下方へと延びる下向導水路と、この下向導水路と繋がる屈曲導水路と、この屈曲導水路と繋がり横方向へ延び上記リム吐水部と連通する横向導水路とから構成され、
上記横向導水路には、上記リム吐水部の出口の合計断面積よりも小さい通水断面積を有する縮径部が形成されていることを特徴とする水洗大便器。
【請求項２】
上記縮径部は、上記屈曲導水路と連接する側の上記横向導水路の上面を下方へ位置させることにより通水断面積を縮径するように構成されていることを特徴とする請求項１記載の水洗大便器。
【請求項３】
上記縮径部は、上記屈曲導水路と連接する上記横向導水路の入口から洗浄水の流れ方向に所定距離の長さにわたって延びる流路であり、この長さが１０ｍｍ〜１００ｍｍであることを特徴とする請求項２記載の水洗大便器。
【請求項４】
上記縮径部は、鉛直方向の通水断面形状が横方向に長い扁平形状で形成されていることを特徴とする請求項２又は３記載の水洗大便器。
【請求項５】
上記下向導水路の前方側の側面は、洗浄水の流れ方向に向かって前方へ徐々に傾斜していることを特徴とする請求項４記載の水洗大便器。
【請求項６】
便器を洗浄して汚物を排出する水洗大便器であって、
便器本体の後方上面に設置され、排水口を開閉することにより上記便器本体へ洗浄水を供給する貯水タンクと、
ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、上記リム部の内周面に洗浄水を吐水して旋回流を形成するリム吐水部と、上記貯水タンクに貯水された洗浄水を上記リム吐水部へ導くリム導水路と、上記ボウル部の下方に位置するゼット吐水部と、上記貯水タンクに貯水された洗浄水を上記ゼット吐水部へ導くゼット導水路と、を備えた便器本体と、を有し、
上記導水路は、上記貯水タンクの排水口と接続し下方へと延びる下向導水路と、この下向導水路と繋がる屈曲導水路と、この屈曲導水路と繋がり横方向へ延び上記リム吐水部及び上記ゼット吐水部と連通する横向導水路とから構成され、
上記横向導水路には、上記リム吐水部及び上記ゼット吐水部の出口の合計断面積よりも小さい通水断面積を有する縮径部が形成されていることを特徴とする水洗大便器。
【発明の詳細な説明】
【技術分野】
【０００１】
本発明は、水洗大便器に係り、特に、洗浄水供給源から供給される洗浄水により便器本体を洗浄して汚物を排出する洗い落とし式等の水洗大便器に関する。
【背景技術】
【０００２】
従来から、便器を洗浄して汚物を排出する水洗大便器として、特許文献１に記載されているように、清掃性を高めるために、水洗大便器のボウル部の上縁に形成されたリム部の内周をオーバーハング形状又は略鉛直形状に形成し、貯水タンクに貯められた洗浄水をリム吐水口から水平方向に吐水して旋回流を形成するものが知られている。
この貯水タンクは、多種類の便器毎の仕様にあわせて、各タンク内に貯められる洗浄水の高さ位置を調整し、便器本体までの落差を変更し、便器に供給する最適な給水流量を決定している。
【先行技術文献】
【特許文献】
【０００３】
【特許文献１】特開２０１３−４４１７８号公報
【発明の概要】
【発明が解決しようとする課題】
【０００４】
しかしながら、多種類の便器の中に、洗浄方式の異なる便器がある場合、便器本体が求める給水流量とタンクが供給する給水流量が適合しない場合があった。上述した特許文献１に記載されているような水洗大便器においては、便器本体が求める給水流量とタンクが供給する給水流量が適合しない状態で使用すると、給水流量が比較的大きい貯水水位が高い位置にある貯水タンクを適用した場合、リム部の内周がオーバーハング形状又は略鉛直形状に形成されているために、リム部を旋回する洗浄水がリム部を越えて便器本体外に溢れ出すといった問題が生じる。特にリム部のうち曲率半径が小さい前方および後方側領域、及び前方側から側方側に移行する領域においてはリム部を旋回する洗浄水が溢れ出し易いという問題が生じている。また、給水流量が比較的小さい貯水水位が低い位置にある貯水タンクを適用した場合、リム吐水部から吐水される洗浄水の給水流量が減少されることにより、リム部を旋回する洗浄水の勢いが弱くなり、ボウル部内を十分に洗浄できなくなるという問題が生じている。
【０００５】
この問題を解決するために、リム吐水口及びリム吐水口への導水路、ゼット吐水口及びゼット吐水口への導水路それぞれの通水断面積を調節することで、便器本体の圧力損失を調整することが考えられる。しかし、前記各所の通水断面積を調整した場合、各吐水口から出てくる洗浄水の分配比や洗浄水の流速まで変化してしまうことでバランスが崩れ、排出性能に影響を及ぼすという問題が生じてしまう。また、圧力損失の調整箇所が複数あることでそれぞれの寸法バラつきの影響を受けやすく圧力損失を制御することが困難であるという問題が生じている。
【０００６】
本発明は、上述した従来技術の問題点を解決するためになされたものであり、不適合の給水流量を生じさせる貯水タンクが便器本体に取付けられた場合であっても便器洗浄のための適切な給水流量の洗浄水をボウル部へ供給することができる水洗大便器を提供することを目的としている。
【課題を解決するための手段】
【０００７】
上記の目的を達成するために、本発明は、便器を洗浄して汚物を排出する水洗大便器であって、便器本体の後方上面に設置され、排水口を開閉することにより便器本体へ洗浄水を供給する貯水タンクと、ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、リム部の内周面に洗浄水を吐水して旋回流を形成するリム吐水部と、貯水タンクに貯水された洗浄水をリム吐水部へ導くリム導水路と、を備えた便器本体と、を有し、導水路は、貯水タンクの排水口と接続し下方へと延びる下向導水路と、この下向導水路と繋がる屈曲導水路と、この屈曲導水路と繋がり横方向へ延び吐水部と連通する横向導水路とから構成され、横向導水路には、リム吐水部の出口の合計断面積よりも小さい通水断面積を有する縮径部が形成されていることを特徴としている。
このように構成された本発明においては、貯水タンクの給水流量が大きいほど導水路の通水断面積が小さくなるように縮径部が横向導水路に設けられることにより、便器本体が求める給水流量より大きい不適合の給水流量を生じさせる貯水タンクが便器本体に取付けられた場合でも、各吐水口から出てくる洗浄水の分配比や洗浄水の流速を変化させることなく、便器洗浄のための適切な給水流量の洗浄水をボウル部へ供給することができる。よって、ボウル部のリム部の内周面がオーバーハング形状又は略鉛直方向に立ち上がるように形成されている便器において、リム吐水部から吐水される洗浄水の給水流量が増大されることにより、リム部を旋回する洗浄水がリム部を越えて便器外に溢れ出すことを防止することができる。
また、便器本体が求める給水流量より小さい不適合の給水流量を生じさせる貯水タンクが便器本体に取り付けられた場合でも、各吐水口から出てくる洗浄水の分配比や洗浄水の流速を変化させることなく、便器洗浄のための適切な給水流量の洗浄水をボウル部へ供給することができる。
よって、リム吐水部から吐水される洗浄水の給水流量が減少されることにより、リム部を旋回する洗浄水の勢いが弱くなり、ボウル部内を十分に洗浄できなくなることを防止することができる。
【０００８】
本発明において、好ましくは、縮径部は、屈曲導水路と連接する側の横向導水路の上面を下方へ位置させることにより通水断面積を縮径するように構成されている。
このように構成された本発明においては、屈曲導水路と連接する側の横向導水路の上面を下方へと位置させることにより縮径部を構成しているために、屈曲導水路を通過した洗浄水が横向導水路に流入する際、淀みが発生し洗浄水が滞留し易い領域である屈曲導水路と連接する側の横向導水路の上方領域を減らすことができる。したがって、洗浄水の流れをスムーズにして整流された洗浄水を便器本体へ供給することができ、不適合の給水流量を生じさせる貯水タンクが便器本体に取付けられた場合でも便器洗浄のための適切な給水流量の洗浄水をボウル部へ供給することができる。
【０００９】
本発明において、好ましくは、縮径部は、屈曲導水路と連接する横向導水路の入口から洗浄水の流れ方向に所定距離の長さにわたって延びる流路であり、この長さが１０ｍｍ〜１００ｍｍである。
このように構成された本発明においては、横向導水路の入口から縮径部が１０ｍｍ〜１００ｍｍ長さで形成されているため、洗浄水の流れをスムーズにしてより整流された流れの洗浄水を便器本体へ供給することができ、不適合の給水流量を生じさせる貯水タンクが便器本体に取付けられた場合でも便器洗浄のための適切な給水流量の洗浄水をボウル部へ供給することができる。
【００１０】
本発明において、好ましくは、縮径部は、鉛直方向の通水断面形状が横方向に長い扁平形状で形成されている。
このように構成された本発明においては、縮径部が横方向に長い扁平形状で形成されているため、上下方向の洗浄水の流速分布を一様とすることができ、洗浄水の流れをスムーズにしてより整流された流れの洗浄水を便器本体へ供給することができ、不適合の給水流量を生じさせる貯水タンクが便器本体に取付けられた場合でも便器洗浄のための適切な給水流量の洗浄水をボウル部へ供給することができる。
【００１１】
本発明において、好ましくは、下向導水路の前方側の側面は、洗浄水の流れ方向に向かって前方へ徐々に傾斜している。
このように構成された本発明においては、下向導水路の前方側の側面が洗浄水の流れ方向に向かって前方へ徐々に傾斜しているため、下向導水路を通過した洗浄水を縮径部にスムーズに導くことができ、不適合の給水流量を生じさせる貯水タンクが便器本体に取付けられた場合でも便器洗浄のための適切な給水流量の洗浄水と確実にすることができる。
【００１２】
上記の目的を達成するために、本発明は、便器を洗浄して汚物を排出する水洗大便器であって、便器本体の後方上面に設置され、排水口を開閉することにより便器本体へ洗浄水を供給する貯水タンクと、ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、リム部の内周面に洗浄水を吐水して旋回流を形成するリム吐水部と、貯水タンクに貯水された洗浄水を上記リム吐水部へ導くリム導水路と、ボウル部の下方に位置するゼット吐水部と、貯水タンクに貯水された洗浄水をゼット吐水部へ導くゼット導水路と、を備えた便器本体と、
を有し、導水路は、貯水タンクの排水口と接続し下方へと延びる下向導水路と、この下向導水路と繋がる屈曲導水路と、この屈曲導水路と繋がり横方向へ延びリム吐水部及びゼット吐水部と連通する横向導水路とから構成され、横向導水路には、リム吐水部及びゼット吐水部の出口の合計断面積よりも小さい通水断面積を有する縮径部が形成されている。
このように構成された本発明においては、貯水タンクの給水流量が大きいほど導水路の通水断面積が小さくなるように縮径部が横向導水路に設けられることにより、便器本体が求める給水流量より大きい不適合の給水流量を生じさせる貯水タンクが便器本体に取付けられた場合でも、各吐水口から出てくる洗浄水の分配比や洗浄水の流速を変化させることなく、便器洗浄のための適切な給水流量の洗浄水をボウル部へ供給することができる。
よって、ボウル部のリム部の内周面がオーバーハング形状又は略鉛直方向に立ち上がるように形成されている便器において、リム吐水部から吐水される洗浄水の給水流量が増大されることにより、リム部を旋回する洗浄水がリム部を越えて便器外に溢れ出すことを防止することができる。
また、便器本体が求める給水流量より小さい不適合の給水流量を生じさせる貯水タンクが便器本体に取り付けられた場合でも、各吐水口から出てくる洗浄水の分配比や洗浄水の流速を変化させることなく、便器洗浄のための適切な給水流量の洗浄水をボウル部へ供給することができる。
よって、リム吐水部から吐水される洗浄水の給水流量が減少されることにより、リム部を旋回する洗浄水の勢いが弱くなり、ボウル部内を十分に洗浄できなくなることを防止することができる。
【発明の効果】
【００１３】
本発明の水洗大便器によれば、不適合の給水流量を生じさせる貯水タンクが便器本体に取付けられた場合であっても便器洗浄のための適切な給水流量の洗浄水をボウル部へ供給することができる。
【図面の簡単な説明】
【００１４】
【図１】本発明の実施形態による水洗大便器を示す平面図である。
【図２】本発明の実施形態による水洗大便器を示す側面断面図である。
【図３】（ａ）図２のA−A線に沿って見た導水路の鉛直方向断面図である。            （ｂ）図２のB−B線に沿って見た導水路の鉛直方向断面図である。            （ｃ）タンク接続口の上面視の平面図である。            （ｄ）第一リム吐水口の正面断面図である。            （ｅ）第二リム吐水口の正面断面図である。
【発明を実施するための形態】
【００１５】
次に、添付図面により、本発明の実施形態による水洗大便器を説明する。先ず、図１により、本実施形態による水洗大便器の設置状態を説明する。図１は、本発明の実施形態による水洗大便器を示す平面図である。図１に示すように、符号１は、本実施形態による水洗大便器１を示し、この水洗大便器１は、後述する排水トラップ管路内の水位上昇による落差を利用して汚物を排出する洗い落とし式水洗大便器（ウォッシュダウン式便器）である。なお、本実施形態においては、水洗大便器は他のタイプの便器（例えば、サイホン式便器）であってもよい。
【００１６】
水洗大便器１は、陶器製の便器本体２を備えている。便器本体２の後方側の上方には、洗浄水を貯水する貯水タンク（図示せず）が取り付けられ、貯水タンクの底面に設けられた排水口が、便器本体２に設けられたタンク接続口３と連通するように構成されている。貯水タンクの底面の排水口には、使用者の操作に応じて上下動する排水弁が設けられており、使用者が便器洗浄開始の操作をすると、排水弁が排水口を開口して、貯水タンク内の洗浄水が、タンク接続口３を通じて便器本体２に供給され、便器本体２が洗浄されるようになっている。
【００１７】
次に、図１及び図２により、本実施形態による水洗大便器１を詳細に説明する。図２は本発明の実施形態による水洗大便器を示す側面断面図である。
【００１８】
図１及び図２に示すように、本発明の実施形態による水洗大便器１の便器本体２は、ボウル部１２と、このボウル部１２の底部から連通して延びる排水トラップ管路１４を有する。ボウル部１２は、汚物受け面１６と、この汚物受け面１６の上縁に形成されたリム部１８を備えている。このリム部１８は、その内周面がオーバーハング形状又は略鉛直方向に立ち上がるように形成されている。このリム部１８は、オーバーハング又は略鉛直形状のリム部であり、汚物受け面１６の上縁から上方に滑らかに立ち上がるように形成されている。さらに、ボウル部１２の汚物受け面１６は、ボウル形状の上方汚物受け面２０と、この上方汚物受け面２０と排水トラップ管路１４との間に形成された凹部２２を備えている。
【００１９】
排水トラップ管路１４は、ボウル部１２の底部に開口した入口１４ａから斜め上方に延び、最高点１４ｂを通った後、斜め下方に延びて、出口１４ｃに達し、排水ソケットを介して排水管（図示せず）に接続されている。水洗大便器１の溜水水位Ｌは、排水トラップ管路１４の最高点１４ｂの高さと等しくなる。
【００２０】
便器本体２を前方から見て、リム部１８の左側の中央領域の内周側には、第一リム吐水口２６が形成され、第一リム導水路２６ｄが略同一の通水断面積で第一リム吐水口２６まで延び、洗浄水が第一リム吐水口２６まで供給されるようになっている。この第一リム吐水口２６から前方に向けて洗浄水が吐水され、ボウル部１２内において旋回流を形成するようになっている。
さらに、便器本体２を前方から見て、リム部１８の右側の後方領域の内周側には、第二リム吐水口２８が形成され、第二リム導水路２８ｄが略同一の通水断面積で第二リム吐水口２８まで延び、洗浄水が第二リム吐水口２８に供給されるようになっている。この第二リム吐水口２８から、第一リム吐水口２６から吐水される洗浄水で形成される旋回流と同一方向に洗浄水が吐水され、ボウル部１２内において旋回流を形成しボウル部１２の後方領域を洗浄するようになっている。
【００２１】
便器本体２の導水路２４の上流端には、貯水タンク（図示せず）と接続するタンク接続口３が形成されている。導水路２４は、貯水タンクの排水口と接続し下方へと延びる下向導水路２４ａと、この下向導水路と繋がる屈曲導水路２４ｂと、この屈曲導水路２４ｂと繋がり横方向へ延び、第一リム導水路２６ｄ、第二リム導水路２８ｄを介して第一リム吐水口２６、第二リム吐水口２８と連通する横向導水路２４ｃとから構成されている。
【００２２】
横向導水路２４ｃは、屈曲導水路２４ｂと繋がる入口２４ｄ付近においては、流水経路の径が縮小された縮径部２４ｅが形成されている（図１、２の点線囲んだ領域）。縮径部２４ｅは、その通水断面形状において、左右方向である横方向に長い扁平形状で形成されている。縮径部２４ｅの通水断面積（流路断面積）Ｃ１は、タンク接続口３の通水断面積（流路断面積）Ｃ４よりも小さくなるように形成されており、便器本体の導水路２４の通水断面積の中で最も小さくなるように形成されている。また、縮径部２４ｅの通水断面積Ｃ１は、第一リム導水路２６ｄ、第一リム吐水口２６の通水断面積Ｃ２と、第二リム導水路２８ｄ、第二リム吐水口２８の通水断面積Ｃ３との合計よりも小さくされている。従って、縮径部２４ｅの通水断面積Ｃ１により、便器本体導水路２４内を流れる洗浄水の給水流量が決定されるようになっている。
また、上述した実施形態の場合では、縮径部２４ｅの通水断面積Ｃ１が、第一リム吐水口２６の通水断面積Ｃ２と第二リム吐水口２８の通水断面積Ｃ３との合計よりも小さくされているが、ゼット吐水口及びゼット導水路を備えた場合は、縮径部２４ｅの通水断面積Ｃ１が、リム吐水口とゼット吐水口の通水断面積との合計よりも小さくされる。要は、洗浄水のボウル部への出口である吐水口が一つ又は複数にかかわらず、縮径部の通水断面積が、各導水路、洗浄水の出口である吐水口の通水断面積との合計よりも小さくなっていれば良い。
【００２３】
次に、図２及び図３により、導水路２４に形成される縮径部２４ｅについて詳細に説明する。
図３（ａ）は、図２のA−A線に沿って見た導水路２４の鉛直方向断面図である。図３（ｂ）は、図２のB−B線に沿って見た導水路２４の鉛直方向断面図である。図３（ｃ）は、タンク接続口３の上面視の平面図である。図３（ｄ）は、第一リム吐水口２６の正面断面図である。図３（ｅ）は、第二リム吐水口２８の正面断面図である。
【００２４】
縮径部２４ｅは、自身を通過する洗浄水に関して、貯水タンクからの不適合の給水流量を、便器洗浄に適したほぼ一定の給水流量に調節することができるものである。
縮径部２４ｅは、便器本体２とは同一材料の陶器で便器本体２と一体に形成されている。なお、縮径部２４ｅを樹脂等の別部材で形成しても良い。
【００２５】
縮径部２４ｅは、その通水断面形状において、左右方向である横方向に長い扁平形状で、洗浄水が流れる方向に所定距離で形成されている。この所定距離は、約１０ｍｍ〜約１００ｍｍで形成されており、さらに好ましくは、約１０ｍｍ〜約５０ｍｍで形成されている。
縮径部２４ｅは、その通水断面形状において、左右方向である横方向に長い扁平形状で洗浄水が流れる方向に所定距離で形成されているため、上下方向の洗浄水の流速分布を一様とすることができ、洗浄水の流れをスムーズにして整流された流れの洗浄水を便器本体２へ供給することができる。
【００２６】
横向導水路２４ｃは、屈曲導水路２４ｂと直接的に繋がる縮径部２４ｅとこの縮径部２４ｅの下流に繋がる通水部２４ｆとから構成されている。
縮径部２４ｅは、自身の長さをより長く形成することにより圧力損失を増大させることができ、また、自身の通水断面積をより小さく形成することにより圧力損失を増大させることができる。逆に、縮径部２４ｅは、自身の長さをより短く形成することにより圧力損失を減少させることができ、また、自身の通水断面積をより大きく形成することにより圧力損失を減少させることができる。
【００２７】
縮径部２４ｅの通水断面積Ｃ１は、導水路２４の内、最も小さく形成されている。具体的に、タンク接続部の通水断面積Ｃ４、通水部２４ｆの通水断面積Ｃ５より小さく形成されており、第一リム導水路２６ｄの各通水断面積や第一リム吐水口２６の通水断面積Ｃ２と第二リム導水路２８ｄの各通水断面積や第二リム吐水口２８の通水断面積Ｃ３の合計断面積より小さく形成されている。
縮径部２４ｅが、導水路２４、第一リム導水路２６ｄと第二リム導水路２８ｄの内、最も小さく形成されているため、導水路２４を流れる洗浄水が受ける圧力損失が、縮径部２４ｅで最も大きくなり、縮径部２４ｅの通水断面積を調整すれば、第一リム吐水口２６及び第二リム吐水口２８から吐水される洗浄水の給水流量を適切なものとすることができる。
【００２８】
また、導水路２４は、貯水タンクの排水口と接続し下方へと延びる下向導水路２４ａと、この下向導水路２４ａと繋がる屈曲導水路２４ｂと、この屈曲導水路２４ｂと繋がり横方向へ延び、第一リム導水路２４ｄ、第二リム導水路２８ｄを介して第一リム吐水口２６、第二リム吐水口２８と連通する横向導水路２４ｃとから構成されている。
横向導水路２４ｃは、屈曲導水路２４ｂと直接的に繋がる縮径部２４ｅとこの縮径部２４ｅの下流に繋がる通水部２４ｆとから構成されている。
【００２９】
横向導水路２４ｃの内、屈曲導水路２４ｂと直接的に繋がる部分の横向導水路２４ｃの上面の全体を、横向導水路２４ｃの他の部分である通水部２４ｆの上面と比べて、下方に位置させることにより、縮径部２４ｅを構成している。これにより、屈曲導水路２４ｂを通過した洗浄水が横向導水路２４ｃに流入する際、淀みが発生し洗浄水が滞留し易い領域である屈曲導水路２４ｂと連接する側の横向導水路２４ｃの上方領域を減らすことができる。したがって、洗浄水の流れをスムーズにして整流された洗浄水を便器本体２へ供給することができ、不適合の給水流量を生じさせる貯水タンクが便器本体に取付けられた場合でも便器洗浄のための適切な給水流量の洗浄水をボウル部へ供給することができる。
【００３０】
縮径部２４ｅの上流の下向導水路２４ａの前方側の側面２４ｇは、洗浄水の流れ方向に向かって前方（横向導水路２４ｃの入口２４ｄの側）へ徐々に傾斜している。下向導水路２４ａの前方側の側面２４ｇが洗浄水の流れ方向に向かって前方へ徐々に傾斜しているため、下向導水路２４ａを通過した洗浄水を縮径部２４ｅにスムーズに導くことができ、不適合の給水流量を生じさせる貯水タンクが便器本体に取付けられた場合でも便器洗浄のための適切な給水流量の洗浄水と確実にすることができる。
【００３１】
次に、主に図１乃至図３を参照して、上述した本発明の実施形態による水洗大便器の動作を説明する。
使用者が洗浄開始を操作すると、貯水タンク内の洗浄水が、貯水タンクの底面に設けられた排水口からタンク接続口３を通って便器本体２に向かって供給される。
このタンク接続口３から供給された洗浄水は、下向導水路２４ａの前方側の下方に向かって前方へ傾斜する側面２４ｇに沿って流れ、縮径部２４ｅに流入し、圧力損失を受けて、給水流量が減少される。
【００３２】
縮径部２４ｅが屈曲導水路２４ｂと直接的に繋がる部分の横向導水路２４ｃの上面を下方に位置させ、淀み領域を小さくしているために、下向導水路２４ａに沿って流れた洗浄水が、淀みを抑えつつ縮径部２４ｅを流れる。その後、その縮径部２４ｅに流入する洗浄水は、意図した所定の給水流量の範囲に調節される。
【００３３】
この洗浄水が縮径部２４ｅを流れ、第一リム導水路２４ｄ、第二リム導水路２８ｄを介して第一リム吐水口２６、第二リム吐水口２８から吐水される場合に、第一リム吐水口２６、第二リム吐水口２８から吐水された洗浄水がオーバーハング又は略鉛直形状のリム部１８を越えて溢れ出ることを抑制することができる。
第一リム吐水口２６、第二リム吐水口２８から吐水され、ボウル部１２内を旋回する旋回流が、リム部１８を越えて溢れ出ることなく汚物受け面１６を良好に洗浄することができる。
【００３４】
第一リム吐水口２６、第二リム吐水口２８から吐水された洗浄水は、ボウル部１２内で旋回流を形成し、ボウル部１２の汚物受け面１６が洗浄され、排水トラップ管路１４から、汚物を排出する。
【００３５】
上述した本実施形態による水洗大便器１においては、便器を洗浄して汚物を排出する水洗大便器であって、便器本体２の後方上面に設置され、排水口を開閉することにより便器本体２へ洗浄水を供給する貯水タンクと、ボウル形状の汚物受け面１６と、上縁部に形成されその内周面がオーバーハング形状又は略鉛直方向に立ち上がるように形成されたリム部１８と、を備えたボウル部１２と、このボウル部１２の下方にその入口１４ａが接続され汚物を排出する排水路１４と、リム部１８の内周面に洗浄水を吐水して旋回流を形成するリム吐水部２６，２８と、上記貯水タンクに貯水された洗浄水をリム吐水部２６，２８へ導くリム導水路２６ｄ，２８ｄと、を備えた便器本体２と、を有し、導水路２４は、貯水タンクの排水口と接続し下方へと延びる下向導水路２４ａと、この下向導水路２４ａと繋がる屈曲導水路２４ｂと、この屈曲導水路２４ｂと繋がり横方向へ延びリム吐水部２６，２８と連通する横向導水路２４ｃとから構成され、横向導水路２４ｃには、リム吐水部２６，２８の出口の合計断面積よりも小さい通水断面積を有する縮径部２４ｅが形成されている。
貯水タンクの給水流量が大きいほど導水路の通水断面積が小さくなるように縮径部が横向導水路２４ｃに設けられることにより、便器本体２が求める給水流量より大きい不適合の給水流量を生じさせる貯水タンクが便器本体に取付けられた場合でも、各吐水口から出てくる洗浄水の分配比や洗浄水の流速を変化させることなく、便器洗浄のための適切な給水流量の洗浄水をボウル部１２へ供給することができる。よって、ボウル部１２のリム部１８の内周面がオーバーハング形状又は略鉛直方向に立ち上がるように形成されている便器において、リム吐水部２６，２８から吐水される洗浄水の給水流量が増大されることにより、リム部１８を旋回する洗浄水がリム部１８を越えて便器１外に溢れ出すことを防止することができる。
また、便器本体２が求める給水流量より小さい不適合の給水流量を生じさせる貯水タンクが便器本体２に取り付けられた場合でも、各吐水口２６，２８から出てくる洗浄水の分配比や洗浄水の流速を変化させることなく、便器洗浄のための適切な給水流量の洗浄水をボウル部１２へ供給することができる。よって、リム吐水部２６，２８から吐水される洗浄水の給水流量が減少されることにより、リム部１８を旋回する洗浄水の勢いが弱くなり、ボウル部１２内を十分に洗浄できなくなることを防止することができる。
【００３６】
また、上述した本実施形態による水洗大便器１においては、屈曲導水路２４ｂと連接する側の横向導水路２４ｃの上面を下方へ位置させることにより通水断面積を縮径するように構成されている。屈曲導水路２４ｂと連接する側の横向導水路２４ｃの上面を下方へと位置させることにより縮径部２４を構成しているために、屈曲導水路２４ｂを通過した洗浄水が横向導水路２４ｃに流入する際、淀みが発生し洗浄水が滞留し易い領域である屈曲導水路２４ｂと連接する側の横向導水路２４ｃの上方領域を減らすことができる。したがって、洗浄水の流れをスムーズにして整流された流れの洗浄水を便器本体２へ供給することができ、異なる給水流量を生じさせる貯水タンクが便器本体２に取付けられた場合でも便器洗浄のための適切な給水流量の洗浄水をボウル部１２へ供給することができる。
【００３７】
上述した本実施形態による水洗大便器１においては、縮径部２４ｅは、屈曲導水路２４ｂと連接する横向導水路２４ｃの入口２４ｄから洗浄水の流れ方向に所定距離の長さにわたって延びる流路であり、この長さが１０ｍｍ〜１００ｍｍである。このように構成された本発明においては、横向導水路２４ｃの入口から縮径部２４ｅが１０ｍｍ〜１００ｍｍ長さで形成されているため、洗浄水の流れをスムーズにしてより整流された流れの洗浄水を便器本体２へ供給することができ、不適合の給水流量を生じさせる貯水タンクが便器本体２に取付けられた場合でも便器洗浄のための適切な給水流量の洗浄水をボウル部１２へ供給することができる。
【００３８】
上述した本実施形態による水洗大便器１においては、縮径部２４ｅは、鉛直方向の通水断面形状が横方向に長い扁平形状で形成されている。縮径部２４ｅが横方向に長い扁平形状で形成されているため、上下方向の洗浄水の流速分布を一様とすることができ、洗浄水の流れをスムーズにしてより整流された流れの洗浄水を便器本体２へ供給することができ、不適合の給水流量を生じさせる貯水タンクが便器本体２に取付けられた場合でも便器洗浄のための適切な給水流量の洗浄水をボウル部１２へ供給することができる。
【００３９】
上述した本実施形態による水洗大便器１においては、下向導水路２４ａの前方側の側面２４ｇは、洗浄水の流れ方向に向かって前方へ徐々に傾斜している。下向導水路２４ａの前方側の側面２４ｇが洗浄水の流れ方向に向かって前方へ徐々に傾斜しているため、下向導水路２４ａを通過した洗浄水を縮径部２４ｅにスムーズに導くことができ、不適合の給水流量を生じさせる貯水タンクが便器本体２に取付けられた場合でも便器洗浄のための適切な給水流量の洗浄水と確実にすることができる。
【符号の説明】
【００４０】
１            水洗大便器
２            便器本体
３            タンク接続口
１２            ボウル部
１４            排水トラップ管路
１６            汚物受け面
１８            リム部
２４            導水路
２４ａ            下向導水路
２４ｂ            屈曲導水路
２４ｃ            横向導水路
２４ｄ            横向導水路の入口
２４ｅ            縮径部
２４ｆ            通水部
２４ｇ            下向導水路の前方側の側面
２６          第一リム吐水部
２６ｄ        第一リム導水路
２８          第二リム吐水部
２８ｄ        第二リム導水路
【図１】
2020159188.tif 000003
【図２】
2020159188.tif 000004
【図３】
2020159188.tif 000005
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
便器を洗浄して汚物を排出する水洗大便器であって、
便器本体の後方上面に設置され、排水口を開閉することにより上記便器本体へ洗浄水を供給する貯水タンクと、
ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、上記リム部の内周面に洗浄水を吐水して旋回流を形成する第１リム吐水部及び第２リム吐水部と、上記貯水タンクに貯水された洗浄水を上記第１リム吐水部及び上記第２リム吐水部へ導くリム導水路と、を備えた便器本体と、を有し、
上記導水路は、上記貯水タンクの排水口と接続し下方へと延びる下向導水路と、この下向導水路と繋がる屈曲導水路と、この屈曲導水路と繋がり横方向へ延び上記第１リム吐水部及び上記第２リム吐水部と連通する横向導水路とから構成され、
上記横向導水路には、上記第１リム吐水部及び上記第２リム吐水部の出口の合計断面積よりも小さい通水断面積を有する縮径部と、上記第１リム吐水部及び上記第２リム吐水部と上記縮径部を繋ぐ通水部が形成されており、上記縮径部から上記通水部にかけて、上記縮径部は、洗浄水の流れ方向に向かって上方へ徐々に傾斜していることを特徴とする水洗大便器。
【請求項２】
上記下向導水路の前方側の側面は、洗浄水の流れ方向に向かって前方へ徐々に傾斜していることを特徴とする請求項１記載の水洗大便器。
【請求項３】
上記縮径部は、上記屈曲導水路と連接する上記横向導水路の入口から洗浄水の流れ方向に所定距離の長さにわたって延びる流路であり、この長さが１０ｍｍ〜１００ｍｍであることを特徴とする請求項１又は２記載の水洗大便器。
【請求項４】
上記縮径部は、鉛直方向の通水断面形状が横方向に長い扁平形状で形成されていることを特徴とする請求項１乃至３記載の水洗大便器。
【請求項５】
上記縮径部は、上記屈曲導水路と連接する側の上記横向導水路の上面を下方へ位置させることにより通水断面積を縮径するように構成されていることを特徴とする請求項１乃至４記載の水洗大便器。
【請求項６】
便器を洗浄して汚物を排出する水洗大便器であって、
便器本体の後方上面に設置され、排水口を開閉することにより上記便器本体へ洗浄水を供給する貯水タンクと、
ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、上記リム部の内周面に洗浄水を吐水して旋回流を形成するリム吐水部と、上記貯水タンクに貯水された洗浄水を上記リム吐水部へ導くリム導水路と、上記ボウル部の下方に位置するゼット吐水部と、上記貯水タンクに貯水された洗浄水を上記ゼット吐水部へ導くゼット導水路と、を備えた便器本体と、を有し、
上記導水路は、上記貯水タンクの排水口と接続し下方へと延びる下向導水路と、この下向導水路と繋がる屈曲導水路と、この屈曲導水路と繋がり横方向へ延び上記リム吐水部及び上記ゼット吐水部と連通する横向導水路とから構成され、
上記横向導水路には、上記リム吐水部及び上記ゼット吐水部の出口の合計断面積よりも小さい通水断面積を有する縮径部が形成されていることを特徴とする水洗大便器。
【手続補正２】
【補正対象書類名】明細書
【補正対象項目名】０００７
【補正方法】変更
【補正の内容】
【０００７】
上記の目的を達成するために、本発明は、便器を洗浄して汚物を排出する水洗大便器であって、便器本体の後方上面に設置され、排水口を開閉することにより便器本体へ洗浄水を供給する貯水タンクと、ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、リム部の内周面に洗浄水を吐水して旋回流を形成する第１リム吐水部及び第２リム吐水部と、貯水タンクに貯水された洗浄水を第１リム吐水部及び第２リム吐水部へ導くリム導水路と、を備えた便器本体と、を有し、導水路は、貯水タンクの排水口と接続し下方へと延びる下向導水路と、この下向導水路と繋がる屈曲導水路と、この屈曲導水路と繋がり横方向へ延び吐水部と連通する横向導水路とから構成され、横向導水路には、第１リム吐水部及び第２リム吐水部の出口の合計断面積よりも小さい通水断面積を有する縮径部と、第１リム吐水部及び第２リム吐水部と縮径部を繋ぐ通水部が形成されており、縮径部から通水部にかけて、縮径部は、洗浄水の流れ方向に向かって上方へ徐々に傾斜していることを特徴としている。
このように構成された本発明においては、貯水タンクの給水流量が大きいほど導水路の通水断面積が小さくなるように縮径部が横向導水路に設けられることにより、便器本体が求める給水流量より大きい不適合の給水流量を生じさせる貯水タンクが便器本体に取付けられた場合でも、各吐水口から出てくる洗浄水の分配比や洗浄水の流速を変化させることなく、便器洗浄のための適切な給水流量の洗浄水をボウル部へ供給することができる。
よって、ボウル部のリム部の内周面がオーバーハング形状又は略鉛直方向に立ち上がるように形成されている便器において、リム吐水部から吐水される洗浄水の給水流量が増大されることにより、リム部を旋回する洗浄水がリム部を越えて便器外に溢れ出すことを防止することができる。
【手続補正３】
【補正対象書類名】明細書
【補正対象項目名】０００８
【補正方法】変更
【補正の内容】
【０００８】
本発明において、好ましくは、下向導水路の前方側の側面は、洗浄水の流れ方向に向かって前方へ徐々に傾斜している。
このように構成された本発明においては、下向導水路の前方側の側面が洗浄水の流れ方向に向かって前方へ徐々に傾斜しているため、下向導水路を通過した洗浄水を縮径部にスムーズに導くことができ、不適合の給水流量を生じさせる貯水タンクが便器本体に取付けられた場合でも便器洗浄のための適切な給水流量の洗浄水と確実にすることができる。
【手続補正４】
【補正対象書類名】明細書
【補正対象項目名】００１１
【補正方法】変更
【補正の内容】
【００１１】
本発明において、好ましくは、縮径部は、屈曲導水路と連接する側の横向導水路の上面を下方へ位置させることにより通水断面積を縮径するように構成されている。
このように構成された本発明においては、屈曲導水路と連接する側の横向導水路の上面を下方へと位置させることにより縮径部を構成しているために、屈曲導水路を通過した洗浄水が横向導水路に流入する際、淀みが発生し洗浄水が滞留し易い領域である屈曲導水路と連接する側の横向導水路の上方領域を減らすことができる。したがって、洗浄水の流れをスムーズにして整流された洗浄水を便器本体へ供給することができ、不適合の給水流量を生じさせる貯水タンクが便器本体に取付けられた場合でも便器洗浄のための適切な給水流量の洗浄水をボウル部へ供給することができる。